(57)【特許請求の範囲】
【請求項１】
排紙トレイ上に記録紙があることを検知するトレイ検知部と、
前記トレイ検知部により前記排紙トレイ上に記録紙があることが検知されている間、報知動作を行う報知部と、
印刷形式に両面印刷が設定されている場合に、一方の面が印刷された記録紙の一部を前記排紙トレイ上に排出させた後に当該記録紙を引き込ませるスイッチバックを排紙部に行わせることにより、印刷面を当該記録紙の他方の面に反転する搬送制御部と、
前記排紙部に記録紙が搬送されることを検知する排紙検知部と、
前記印刷形式に前記両面印刷が設定されている場合に、前記トレイ検知部により前記排紙トレイ上に記録紙があることが検知されていない状態で、前記排紙検知部により前記一方の面が印刷された記録紙が前記排紙部に搬送されることが検知されると、一定時間、前記トレイ検知部の検知結果をマスクするマスク部と、を備え、
前記報知部は、前記印刷形式に前記両面印刷が設定されている場合に、前記トレイ検知部により前記排紙トレイ上に記録紙があることが検知されていない状態で前記スイッチバックが行われても前記報知動作を行わないことを特徴とする画像形成装置。
【請求項２】
前記一定時間は、前記排紙検知部により前記排紙部の方向に搬送されている記録紙の検知が開始されてから、前記排紙検知部により前記排紙部と逆方向に搬送されている記録紙の検知が終了するまでの時間であることを特徴とする請求項１に記載の画像形成装置。
【請求項３】
前記マスク部は、記録紙のサイズに基づいて前記一定時間を算出することを特徴とする請求項１に記載の画像形成装置。
【請求項４】
前記マスク部は、記録紙の搬送方向長さ及び搬送速度から、前記一定時間を算出することを特徴とする請求項３に記載の画像形成装置。
【請求項５】
トレイ検知部が、排紙トレイ上に記録紙があることを検知するトレイ検知ステップと、
報知部が、前記排紙トレイ上に記録紙があることが検知されている間、報知動作を行う報知ステップと、
搬送制御部が、印刷形式に両面印刷が設定されている場合に、一方の面が印刷された記録紙の一部を前記排紙トレイ上に排出させた後に当該記録紙を引き込ませるスイッチバックを排紙部に行わせることにより、印刷面を当該記録紙の他方の面に反転する搬送制御ステップと、
排紙検知部が、前記排紙部に記録紙が搬送されることを検知する排紙検知ステップと、
マスク部が、前記印刷形式に前記両面印刷が設定されている場合に、前記排紙トレイ上に記録紙があることが検知されていない状態で、前記一方の面が印刷された記録紙が前記排紙部に搬送されることが検知されると、一定時間、前記トレイ検知ステップの検知結果をマスクするマスクステップと、
前記報知部が、前記印刷形式に前記両面印刷が設定されている場合に、前記排紙トレイ上に記録紙があることが検知されていない状態で前記スイッチバックが行われても前記報知動作を行わない非報知ステップと、
を含むことを特徴とする報知方法。
【請求項６】
排紙トレイ上に記録紙があることを検知するトレイ検知ステップと、
前記排紙トレイ上に記録紙があることが検知されている間、報知動作を行う報知ステップと、
印刷形式に両面印刷が設定されている場合に、一方の面が印刷された記録紙の一部を前記排紙トレイ上に排出させた後に当該記録紙を引き込ませるスイッチバックを排紙部に行わせることにより、印刷面を当該記録紙の他方の面に反転する搬送制御ステップと、
前記排紙部に記録紙が搬送されることを検知する排紙検知ステップと、
前記印刷形式に前記両面印刷が設定されている場合に、前記排紙トレイ上に記録紙があることが検知されていない状態で、前記一方の面が印刷された記録紙が前記排紙部に搬送されることが検知されると、一定時間、前記トレイ検知ステップの検知結果をマスクするマスクステップと、
前記印刷形式に前記両面印刷が設定されている場合に、前記排紙トレイ上に記録紙があることが検知されていない状態で前記スイッチバックが行われても前記報知動作を行わない非報知ステップと、
をコンピュータに実行させるための報知プログラム。
【発明の詳細な説明】
【技術分野】
【０００１】
本発明は、画像形成装置、報知方法及び報知プログラムに関する。
【背景技術】
【０００２】
従来から、排紙トレイに排紙された印刷済みの記録紙をユーザが取り忘れることを防止するため、ランプなどの報知装置で報知を行う画像形成装置が知られている（例えば、特許文献１参照）。このような画像形成装置として、例えば、排紙トレイ上に記録紙があることをセンサが検知すると、ランプを点灯するものがある。
【発明の概要】
【発明が解決しようとする課題】
【０００３】
ところで、排紙部から排紙トレイ上に記録紙の一部を排出した後に当該記録紙を引き込むスイッチバックを行うことにより当該記録紙の印刷面を反転して両面印刷を行う画像形成装置の場合、排紙トレイ上に記録紙が置かれていないにも関わらずスイッチバックにより記録紙が検知されて誤報知が行われてしまう可能性がある。
【０００４】
本発明は、上記事情に鑑みてなされたものであり、誤報知を防止することができる画像形成装置、報知方法及び報知プログラムを提供することを目的とする。
【課題を解決するための手段】
【０００５】
上述した課題を解決し、目的を達成するために、本発明の一態様にかかる画像形成装置は、排紙トレイ上に記録紙があることを検知するトレイ検知部と、前記トレイ検知部により前記排紙トレイ上に記録紙があることが検知されている間、報知動作を行う報知部と、印刷形式に両面印刷が設定されている場合に、一方の面が印刷された記録紙の一部を前記排紙トレイ上に排出させた後に当該記録紙を引き込ませるスイッチバックを排紙部に行わせることにより、印刷面を当該記録紙の他方の面に反転する搬送制御部と、前記排紙部に記録紙が搬送されることを検知する排紙検知部と、前記印刷形式に前記両面印刷が設定されている場合に、前記トレイ検知部により前記排紙トレイ上に記録紙があることが検知されていない状態で、前記排紙検知部により前記一方の面が印刷された記録紙が前記排紙部に搬送されることが検知されると、一定時間、前記トレイ検知部の検知結果をマスクするマスク部と、を備え、前記報知部は、前記印刷形式に前記両面印刷が設定されている場合に、前記トレイ検知部により前記排紙トレイ上に記録紙があることが検知されていない状態で前記スイッチバックが行われても前記報知動作を行わないことを特徴とする。
【０００６】
また、本発明の別の態様にかかる報知方法は、トレイ検知部が、排紙トレイ上に記録紙があることを検知するトレイ検知ステップと、報知部が、前記排紙トレイ上に記録紙があることが検知されている間、報知動作を行う報知ステップと、搬送制御部が、印刷形式に両面印刷が設定されている場合に、一方の面が印刷された記録紙の一部を前記排紙トレイ上に排出させた後に当該記録紙を引き込ませるスイッチバックを排紙部に行わせることにより、印刷面を当該記録紙の他方の面に反転する搬送制御ステップと、排紙検知部が、前記排紙部に記録紙が搬送されることを検知する排紙検知ステップと、マスク部が、前記印刷形式に前記両面印刷が設定されている場合に、前記排紙トレイ上に記録紙があることが検知されていない状態で、前記一方の面が印刷された記録紙が前記排紙部に搬送されることが検知されると、一定時間、前記トレイ検知ステップの検知結果をマスクするマスクステップと、前記報知部が、前記印刷形式に前記両面印刷が設定されている場合に、前記排紙トレイ上に記録紙があることが検知されていない状態で前記スイッチバックが行われても前記報知動作を行わない非報知ステップと、を含むことを特徴とする。
【０００７】
また、本発明の別の態様にかかる報知プログラムは、排紙トレイ上に記録紙があることを検知するトレイ検知ステップと、前記排紙トレイ上に記録紙があることが検知されている間、報知動作を行う報知ステップと、印刷形式に両面印刷が設定されている場合に、一方の面が印刷された記録紙の一部を前記排紙トレイ上に排出させた後に当該記録紙を引き込ませるスイッチバックを排紙部に行わせることにより、印刷面を当該記録紙の他方の面に反転する搬送制御ステップと、前記排紙部に記録紙が搬送されることを検知する排紙検知ステップと、前記印刷形式に前記両面印刷が設定されている場合に、前記排紙トレイ上に記録紙があることが検知されていない状態で、前記一方の面が印刷された記録紙が前記排紙部に搬送されることが検知されると、一定時間、前記トレイ検知ステップの検知結果をマスクするマスクステップと、前記印刷形式に前記両面印刷が設定されている場合に、前記排紙トレイ上に記録紙があることが検知されていない状態で前記スイッチバックが行われても前記報知動作を行わない非報知ステップと、をコンピュータに実行させるためのものである。
【発明の効果】
【０００８】
本発明によれば、誤報知を防止することができるという効果を奏する。
【図面の簡単な説明】
【０００９】
【図１】図１は、本実施形態の画像形成装置の一例を示す機械的構成図である。
【図２】図２は、本実施形態の画像形成装置の電気的構成の一例を示すブロック図である。
【図３】図３は、本実施形態の画像形成装置で行われる処理の手順の流れの一例を示すフローチャートである。
【図４】図４は、変形例の画像形成装置の電気的構成の一例を示すブロック図である。
【図５】図５は、実施形態及び変形例の画像形成装置のハードウェア構成の一例を示すブロック図である。
【発明を実施するための形態】
【００１０】
以下、添付図面を参照しながら、本発明にかかる画像形成装置、報知方法及び報知プログラムの実施形態を詳細に説明する。なお、画像形成装置は、例えば、複写機、複合機、又は印刷装置などにより実現できる。また、複合機とは、コピー機能、プリンタ機能、スキャナ機能およびファクシミリ機能のうち少なくとも２つの機能を有するものである。
【００１１】
まず、本実施形態の画像形成装置の構成について説明する。
【００１２】
図１は、本実施形態の画像形成装置１の一例を示す機械的構成図であり、主として搬送機構の構成を示している。
【００１３】
図１に示すように、画像形成装置１は、給紙トレイ１０と、給紙コロ１２と、給紙センサ１４と、レジストローラ１６と、対向ローラ１８と、定着ローラ２０と、分岐爪２２と、本体スタック部２４と、１ビンスタック部２６と、排紙コロ２８と、１ビン排紙センサ３０と、１ビン排紙ローラ３２と、１ビンスタック紙センサ３４と、反転コロ３６と、両面搬送ローラ３８と、両面出口センサ４０とを、備える。
【００１４】
給紙トレイ１０には、記録紙が載置されている。
【００１５】
給紙コロ１２は、給紙トレイ１０に載置されている記録紙を１枚ずつ給紙する。
【００１６】
給紙センサ１４は、給紙コロ１２から給紙された記録紙を検知する。
【００１７】
レジストローラ１６は、給紙コロ１２から給紙された記録紙を画像形成タイミングに合わせて搬送する。
【００１８】
対向ローラ１８は、図示せぬ転写ローラと協同して、レジストローラ１６から搬送された記録紙の印刷面に画像を転写する。これにより、記録紙の印刷面に画像が形成される。
【００１９】
定着ローラ２０は、印刷面に画像が転写された記録紙を加熱及び加圧することにより、画像を記録紙に定着する。
【００２０】
分岐爪２２は、定着ローラ２０により画像が定着された記録紙の搬送経路を分岐する。分岐爪２２は、図示せぬソレノイドによって駆動され、定着ローラ２０により画像が定着された記録紙を、本体スタック部２４に搬送させるか１ビンスタック部２６に搬送させるかを切り替える。
【００２１】
排紙コロ２８は、定着ローラ２０により画像が定着された記録紙を分岐爪２２が本体スタック部２４に搬送させるように設定されている場合、搬送された記録紙を本体スタック部２４に排紙する。
【００２２】
本体スタック部２４は、排紙コロ２８により排紙された記録紙をスタックする。
【００２３】
１ビン排紙センサ３０（排紙検知部の一例）は、定着ローラ２０により画像が定着された記録紙を分岐爪２２が１ビンスタック部２６に搬送させるように設定されている場合、搬送された記録紙を検知する。なお１ビン排紙センサ３０は、後述の１ビン排紙ローラ３２が記録紙をスイッチバックさせた場合、スイッチバックされている記録紙も検知する。
【００２４】
１ビン排紙ローラ３２（排紙部の一例）は、定着ローラ２０により画像が定着された記録紙を分岐爪２２が１ビンスタック部２６に搬送させるように設定されている場合、正回転することにより、搬送された記録紙を１ビンスタック部２６に排紙する。
【００２５】
但し、搬送された記録紙の両面に印刷を行う場合、１ビン排紙ローラ３２は、正回転して、搬送された記録紙の一部を１ビンスタック部２６上に排出させた後に、逆回転して、当該記録紙を引き込ませるスイッチバックを行う。
【００２６】
１ビンスタック部２６（排紙トレイの一例）は、１ビン排紙ローラ３２により排紙された記録紙をスタックする。
【００２７】
１ビンスタック紙センサ３４は、１ビンスタック部２６上に記録紙があることを検知する。なお、１ビンスタック紙センサ３４は、１ビンスタック部２６にスタックされている記録紙だけでなく、１ビンスタック部２６上に存在する記録紙についても検知する。
【００２８】
つまり、１ビンスタック紙センサ３４は、１ビンスタック部２６に記録紙がスタックされていない状態で、１ビン排紙ローラ３２により記録紙のスイッチバックが行われた場合、スイッチバック中の記録紙を検知する。
【００２９】
反転コロ３６は、１ビン排紙ローラ３２によりスイッチバックされた記録紙を搬送する。
【００３０】
両面搬送ローラ３８は、反転コロ３６により搬送されてきた記録紙を、レジストローラ１６に搬送する。１ビン排紙ローラ３２によるスイッチバック、並びに、反転コロ３６及び両面搬送ローラ３８による搬送により、記録紙の表面・裏面が反転されて、レジストローラ１６に搬送される。例えば、記録紙の表面が印刷面であった場合、記録紙の裏面が印刷面となって、レジストローラ１６に搬送される。
【００３１】
両面出口センサ４０は、両面搬送ローラ３８により搬送された記録紙を検知する。
【００３２】
図２は、本実施形態の画像形成装置１の電気的構成の一例を示すブロック図である。図２に示すように、画像形成装置１は、搬送モータ５２と、１ビンスタック紙センサ３４と、残紙ＬＥＤ（Light  Emitting  Diode）５４と、１ビン排紙センサ３０と、ＣＰＵ（Central  Processing  Unit）５６とを、備える。
【００３３】
搬送モータ５２は、給紙コロ１２、レジストローラ１６、排紙コロ２８、１ビン排紙ローラ３２、反転コロ３６、及び両面搬送ローラ３８などの搬送系の駆動源である。
【００３４】
ＣＰＵ５６は、画像形成装置１の全体を制御するものであり、搬送制御部５８と、マスク部６０とを、備える。
【００３５】
搬送制御部５８は、搬送モータ５２の駆動を制御することで、搬送系に図１で説明したような搬送動作を行わせる。
【００３６】
例えば、搬送制御部５８は、印刷形式に両面印刷が設定されている場合、搬送モータ５２の駆動を制御することで、一方の面が印刷された記録紙の一部を１ビンスタック部２６上に排出させた後に当該記録紙を引き込ませるスイッチバックを１ビン排紙ローラ３２に行わせる。これにより、記録紙の印刷面を一方の面から他方の面に反転する。
【００３７】
なお、印刷形式は、図示せぬオペレーションパネルなどの操作部からのユーザ入力に基づきＣＰＵ５６が設定する。また、記録紙の一方の面が印刷されているか、記録紙の両方の面が印刷されているかは、例えば、給紙センサ１４及び両面出口センサ４０の出力（検知結果）を用いることで判別できる。
【００３８】
例えば、ＣＰＵ５６は、１ビン排紙ローラ３２に記録紙のスイッチバックを行わせる際に、給紙センサ１４及び両面出口センサ４０の出力のうち直前の出力が給紙センサ１４であれば、記録紙の一方の面が印刷されていると判断でき、直前の出力が両面出口センサ４０であれば、記録紙の両方の面が印刷されていると判断できる。
【００３９】
マスク部６０は、印刷形式に両面印刷が設定されている場合に、１ビンスタック紙センサ３４により１ビンスタック部２６上に記録紙があることが検知されていない状態で、１ビン排紙センサ３０により一方の面が印刷された記録紙が１ビン排紙ローラ３２に搬送されることが検知されると、一定時間、１ビンスタック紙センサ３４の検知結果をマスクする。
【００４０】
ここで、一定時間は、１ビン排紙センサ３０により１ビン排紙ローラ３２の方向に搬送されている記録紙の検知が開始されてから、１ビン排紙センサ３０により１ビン排紙ローラ３２と逆方向に搬送されている記録紙の検知が終了するまでの時間とする。
【００４１】
つまり、マスク部６０は、１ビン排紙センサ３０により１ビン排紙ローラ３２の方向に搬送されている記録紙の検知が開始されてから、１ビン排紙センサ３０により１ビン排紙ローラ３２と逆方向に搬送されている記録紙の検知が終了するまで、１ビンスタック紙センサ３４の検知結果をマスクする。
【００４２】
残紙ＬＥＤ５４（報知部の一例）は、１ビンスタック紙センサ３４により１ビンスタック部２６上に記録紙があることが検知されている間、点灯する（報知動作の一例）。
【００４３】
但し、残紙ＬＥＤ５４は、印刷形式に両面印刷が設定されている場合に、１ビンスタック紙センサ３４により１ビンスタック部２６上に記録紙があることが検知されていない状態で、１ビン排紙ローラ３２によりスイッチバックが行われ、１ビンスタック紙センサ３４によりスイッチバック中の記録紙が検知されても、点灯しない。
【００４４】
具体的には、残紙ＬＥＤ５４は、マスク部６０により１ビンスタック紙センサ３４の検知結果がマスクされていれば、残紙ＬＥＤ５４を点灯しない。
【００４５】
次に、本実施形態の画像形成装置の動作について説明する。
【００４６】
図３は、本実施形態の画像形成装置１で行われる処理の手順の流れの一例を示すフローチャートである。なお、図３に示す例では、印刷形式に両面印刷が設定されているものとする。
【００４７】
まず、搬送制御部５８は、定着ローラ２０により画像が定着された記録紙を分岐爪２２が１ビンスタック部２６に搬送させるように設定されていれば（ステップＳ１００でＹｅｓ）、当該記録紙を１ビンスタック部２６方向に搬送する。一方、定着ローラ２０により画像が定着された記録紙を分岐爪２２が本体スタック部２４に搬送させるように設定されている場合（ステップＳ１００でＮｏ）、以降の処理は行われない。
【００４８】
続いて、ＣＰＵ５６は、１ビン排紙センサ３０が搬送された記録紙を検知すると、給紙センサ１４及び両面出口センサ４０の出力のうち直前の出力がいずれであるかを確認し、給紙センサ１４であれば、両面印刷の第１面が印刷されていると判断する（ステップＳ１０２でＹｅｓ）。一方、ＣＰＵ５６は、直前の出力が両面出口センサ４０であれば、両面印刷の両面が印刷されていると判断し（ステップＳ１０２でＮｏ）、以降の処理は行われない。
【００４９】
続いて、マスク部６０は、１ビンスタック紙センサ３４により１ビンスタック部２６上に記録紙があることが検知されていない場合（ステップＳ１０４でＹｅｓ）、１ビンスタック紙センサ３４の検知結果をマスクする（ステップＳ１０６）。一方、１ビンスタック紙センサ３４により１ビンスタック部２６上に記録紙があることが検知されている場合（ステップＳ１０４でＮｏ）、以降の処理は行われない。この場合、残紙ＬＥＤ５４は、点灯している。
【００５０】
続いて、搬送制御部５８は、搬送モータ５２の駆動を制御することで、第１面が印刷された記録紙の一部を１ビンスタック部２６上に排出させた後に当該記録紙を引き込ませるスイッチバックを１ビン排紙ローラ３２に行わせる。
【００５１】
続いて、マスク部６０は、１ビン排紙センサ３０による１ビン排紙ローラ３２と逆方向に搬送されている記録紙の検知の終了を待機する（ステップＳ１０８でＮｏ）。そして、マスク部６０は、１ビン排紙センサ３０による１ビン排紙ローラ３２と逆方向に搬送されている記録紙の検知が終了すると（ステップＳ１０８でＹｅｓ）、１ビンスタック紙センサ３４の検知結果のマスクを外す（ステップＳ１１０）。このため、記録紙のスイッチバックが行われても、残紙ＬＥＤ５４は点灯しない。
【００５２】
以上のように本実施形態では、１ビンスタック紙センサ３４により１ビンスタック部２６上にスタックされている記録紙が検知されている間、残紙ＬＥＤ５４が点灯する。そして本実施形態では、１ビンスタック部２６上に記録紙がスタックされていない状態で、１ビンスタック部２６上で記録紙のスイッチバックが行われ、１ビンスタック紙センサ３４によりスイッチバック中の記録紙が検知されても、１ビンスタック紙センサ３４の検知結果がマスクされているので、残紙ＬＥＤ５４は点灯しない。
【００５３】
従って本実施形態によれば、１ビンスタック部２６上に記録紙がスタックされていない状態で残紙ＬＥＤ５４を点灯させてしまう誤報知を防止できる。この結果、１ビンスタック部２６上に記録紙がスタックされている場合のみ残紙ＬＥＤ５４を点灯させることができるので、１ビンスタック部２６上に印刷済みの記録紙があることをユーザに確実に報知することができる。
【００５４】
（変形例）
なお、本発明は、上記実施形態に限定されるものではなく、種々の変形が可能である。
【００５５】
例えば、マスク部６０は、記録紙のサイズに基づいて１ビンスタック紙センサ３４の検知結果をマスクする一定時間を算出し、１ビン排紙センサ３０により１ビン排紙ローラ３２の方向に搬送されている記録紙の検知が開始されてから、当該一定時間、１ビンスタック紙センサ３４の検知結果をマスクするようにしてもよい。
【００５６】
具体的には、マスク部６０は、記録紙の搬送方向長さ及び搬送速度を用いて、１ビン排紙センサ３０により１ビン排紙ローラ３２の方向に搬送されている記録紙の検知が開始されてから、１ビンスタック紙センサ３４によりスイッチバック中の記録紙が検知されなくなるまでの時間を算出する。そしてマスク部６０は、算出した時間を１ビンスタック紙センサ３４の検知結果をマスクする一定時間とすればよい。
【００５７】
また上記実施形態では、１ビンスタック紙センサ３４の検知結果をマスクすることで、残紙ＬＥＤ５４の誤報知を防止したが、誤報知を防止する手法はこれに限定されるものではない。
【００５８】
例えば、１ビンスタック部２６上に記録紙がスタックされていない状態で、１ビンスタック部２６上で記録紙のスイッチバックが行われる場合、ＣＰＵ５６が、残紙ＬＥＤ５４や１ビンスタック紙センサ３４への電源供給を遮断するようにしてもよい。
【００５９】
また上記実施形態では、残紙ＬＥＤ５４がＣＰＵ５６の制御下にない場合を例に取り説明したが、図４に示すように、残紙ＬＥＤ５４がＣＰＵ５６の制御下にあってもよい。この場合、ＣＰＵ５６は、マスク部６０を備える必要はない。
【００６０】
図４に示す例では、１ビンスタック紙センサ３４により１ビンスタック部２６上に記録紙があることが検知されている間、ＣＰＵ５６が残紙ＬＥＤ５４を点灯させる。但し、ＣＰＵ５６は、印刷形式に両面印刷が設定されている場合に、１ビンスタック紙センサ３４により１ビンスタック部２６上に記録紙があることが検知されていない状態で、１ビン排紙ローラ３２によりスイッチバックが行われても、残紙ＬＥＤ５４を点灯させない。
【００６１】
具体的には、ＣＰＵ５６は、印刷形式に両面印刷が設定されている場合に、１ビンスタック紙センサ３４により１ビンスタック部２６上に記録紙があることが検知されていない状態で、１ビン排紙センサ３０により一方の面が印刷された記録紙が１ビン排紙ローラ３２に搬送されることが検知されると、一定時間、１ビンスタック紙センサ３４の検知結果を無視する。従って、ＣＰＵ５６は、１ビンスタック紙センサ３４により１ビンスタック部２６上に記録紙があることが検知されていない状態で、１ビン排紙ローラ３２によりスイッチバックが行われ、１ビンスタック紙センサ３４によりスイッチバック中の記録紙が検知されても、残紙ＬＥＤ５４を点灯させない。
【００６２】
（ハードウェア構成）
図５は、上記実施形態及び上記変形例の画像形成装置１のハードウェア構成の一例を示すブロック図である。
【００６３】
図５に示すように、上記実施形態及び上記変形例の画像形成装置１は、コントローラ９１０とエンジン部（Engine）９６０とをＰＣＩ（Peripheral  Component  Interconnect）バスで接続した構成となる。コントローラ９１０は、画像形成装置１全体の制御、描画、通信、及び操作表示部９２０からの入力を制御するコントローラである。エンジン部９６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部９６０には、プロッタなどのいわゆるエンジン部分に加えて、誤差拡散やガンマ変換などの画像処理部分が含まれる。
【００６４】
コントローラ９１０は、ＣＰＵ９１１と、ノースブリッジ（ＮＢ）９１３と、システムメモリ（ＭＥＭ−Ｐ）９１２と、サウスブリッジ（ＳＢ）９１４と、ローカルメモリ（ＭＥＭ−Ｃ）９１７と、ＡＳＩＣ（Application  Specific  Integrated  Circuit）９１６と、ハードディスクドライブ（ＨＤＤ）９１８とを有し、ノースブリッジ（ＮＢ）９１３とＡＳＩＣ９１６との間をＡＧＰ（Accelerated  Graphics  Port）バス９１５で接続した構成となる。また、ＭＥＭ−Ｐ９１２は、ＲＯＭ９１２ａと、ＲＡＭ９１２ｂとをさらに有する。
【００６５】
ＣＰＵ９１１は、画像形成装置１の全体制御をおこなうものであり、ＮＢ９１３、ＭＥＭ−Ｐ９１２およびＳＢ９１４からなるチップセットを有し、このチップセットを介して他の機器と接続される。
【００６６】
ＮＢ９１３は、ＣＰＵ９１１とＭＥＭ−Ｐ９１２、ＳＢ９１４、ＡＧＰバス９１５とを接続するためのブリッジであり、ＭＥＭ−Ｐ９１２に対する読み書きなどを制御するメモリコントローラと、ＰＣＩマスタおよびＡＧＰターゲットとを有する。
【００６７】
ＭＥＭ−Ｐ９１２は、プログラムやデータの格納用メモリ、プログラムやデータの展開用メモリ、プリンタの描画用メモリなどとして用いるシステムメモリであり、ＲＯＭ９１２ａとＲＡＭ９１２ｂとからなる。ＲＯＭ９１２ａは、プログラムやデータの格納用メモリとして用いる読み出し専用のメモリであり、ＲＡＭ９１２ｂは、プログラムやデータの展開用メモリ、プリンタの描画用メモリなどとして用いる書き込みおよび読み出し可能なメモリである。
【００６８】
ＳＢ９１４は、ＮＢ９１３とＰＣＩデバイス、周辺デバイスとを接続するためのブリッジである。このＳＢ９１４は、ＰＣＩバスを介してＮＢ９１３と接続されており、このＰＣＩバスには、ネットワークインタフェース（Ｉ／Ｆ）部なども接続される。
【００６９】
ＡＳＩＣ９１６は、画像処理用のハードウェア要素を有する画像処理用途向けのＩＣ（Integrated  Circuit）であり、ＡＧＰバス９１５、ＰＣＩバス、ＨＤＤ９１８およびＭＥＭ−Ｃ９１７をそれぞれ接続するブリッジの役割を有する。このＡＳＩＣ９１６は、ＰＣＩターゲットおよびＡＧＰマスタと、ＡＳＩＣ９１６の中核をなすアービタ（ＡＲＢ）と、ＭＥＭ−Ｃ９１７を制御するメモリコントローラと、ハードウェアロジックなどにより画像データの回転などをおこなう複数のＤＭＡＣ（Direct  Memory  Access  Controller）と、エンジン部９６０との間でＰＣＩバスを介したデータ転送をおこなうＰＣＩユニットとからなる。このＡＳＩＣ９１６には、ＰＣＩバスを介してＦＣＵ（Fax  Control  Unit）９３０、ＵＳＢ（Universal  Serial  Bus）９４０、ＩＥＥＥ１３９４（the  Institute  of  Electrical  and  Electronics  Engineers  1394）インタフェース９５０が接続される。操作表示部９２０はＡＳＩＣ９１６に直接接続されている。
【００７０】
ＭＥＭ−Ｃ９１７は、コピー用画像バッファ、符号バッファとして用いるローカルメモリであり、ＨＤＤ９１８は、画像データの蓄積、プログラムの蓄積、フォントデータの蓄積、フォームの蓄積を行うためのストレージである。
【００７１】
ＡＧＰバス９１５は、グラフィック処理を高速化するために提案されたグラフィックスアクセラレーターカード用のバスインターフェースであり、ＭＥＭ−Ｐ９１２に高スループットで直接アクセスすることにより、グラフィックスアクセラレーターカードを高速にするものである。
【００７２】
なお、上記実施形態及び上記変形例の画像形成装置１で実行される報知プログラムは、ＲＯＭ等に予め組み込まれて提供される。
【００７３】
上記実施形態及び上記変形例の画像形成装置１で実行される報知プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記録して提供するように構成してもよい。
【００７４】
さらに、上記実施形態及び上記変形例の画像形成装置１で実行される報知プログラムを、インターネット等のネットワークに接続されたコンピュータ上に格納し、ネットワーク経由でダウンロードさせることにより提供するように構成しても良い。また、上記実施形態及び上記変形例の画像形成装置１で実行される報知プログラムをインターネット等のネットワーク経由で提供または配布するように構成してもよい。
【００７５】
上記実施形態及び上記変形例の画像形成装置１で実行される報知プログラムは、上述した各部をコンピュータ上で実現させるためのモジュール構成となっている。実際のハードウェアとしてはＣＰＵ９１１がＲＯＭ９１２ａからプログラムをＲＡＭ９１２ｂ上に読み出して実行することにより、上記各部がコンピュータ上で実現されるようになっている。
【符号の説明】
【００７６】
１  画像形成装置
１０  給紙トレイ
１２  給紙コロ
１４  給紙センサ
１６  レジストローラ
１８  対向ローラ
２０  定着ローラ
２２  分岐爪
２４  本体スタック部
２６  １ビンスタック部
２８  排紙コロ
３０  １ビン排紙センサ
３２  １ビン排紙ローラ
３４  １ビンスタック紙センサ
３６  反転コロ
３８  両面搬送ローラ
４０  両面出口センサ
５２  搬送モータ
５４  残紙ＬＥＤ
５６  ＣＰＵ
５８  搬送制御部
６０  マスク部
６２  報知制御部
９１０  コントローラ
９１１  ＣＰＵ
９１２  システムメモリ
９１２ａ  ＲＯＭ
９１２ｂ  ＲＡＭ
９１３  ノースブリッジ
９１４  サウスブリッジ
９１５  ＡＧＰバス
９１６  ＡＳＩＣ
９１７  ローカルメモリ
９１８  ハードディスクドライブ
９２０  操作表示部
９３０  ＦＣＵ
９４０  ＵＳＢ
９５０  ＩＥＥＥ１３９４インタフェース
９６０  エンジン部
【先行技術文献】
【特許文献】
【００７７】
【特許文献１】特開２００４−３６１４９９号公報
【図１】
0005799657.tif 000002
【図２】
0005799657.tif 000003
【図３】
0005799657.tif 000004
【図４】
0005799657.tif 000005
【図５】
0005799657.tif 000006